(57)【要約】【課題】栽培が難しいと言われる野菜を、ベランダ（ぬれ縁）、室内など非常に狭い場所で、種苗の前処理、農地（またはプランター）の準備、施肥（または追肥）処理および薬剤散布処理などに、高度の熟練と経験知識を必要とすることなく（初心者でも）、非常に簡単に栽培を行うことを可能とするポット菜園の、該種苗の芽の伸長を長期間安定に抑制するための方法を提供する。【解決手段】包装容器内に乾燥処理した培養土とアスパラガス、コンニャクなどの栄養繁殖植物体またはその一部からなる種苗とを充填し開口部を閉鎖してポット菜園を得る。【特許請求の範囲】
【請求項１】
包装容器内に乾燥処理した培養土と種苗とを充填し開口部を閉鎖してなるポット菜園。
【請求項２】
包装容器内に乾燥処理した培養土を充填し、該培養土の所定位置に種苗を埋設してなるポット菜園。
【請求項３】
遮光性を有する包装容器内に乾燥処理した培養土と種苗とを充填し開口部を閉鎖してなるなるポット菜園。
【請求項４】
遮光性を有する包装容器が、黒色、青色、茶色あるいは緑色をした外周壁、またはアルミ箔の外周壁を有する合成樹脂製包装用袋または合成樹脂製包装用箱である請求項１〜請求項３のいずれかに記載のポット菜園。
【請求項５】
種苗が、野菜、果樹または草花の種苗である請求項１〜請求項３のいずれかに記載のポット菜園。
【請求項６】
種苗が、栄養繁殖植物体またはその一部である請求項１〜請求項５のいずれかに記載のポット菜園。
【請求項７】
栄養繁殖植物体が、里芋、ショウガおよびミョウガなどの地下塊茎植物、アスパラガス、ウドおよびミツバなどの塊根植物、フキなどの地下茎植物、ヤマイモおよびコンニャクなどの塊根植物、またはニンニクなどの球根植物である請求項６に記載のポット菜園。
【請求項８】
乾燥処理した培養土が、水分２０％（Ｗ／Ｗ）以下である請求項１〜請求項３のいずれかに記載のポット菜園。
【請求項９】
包装容器内に乾燥処理した培養土と種苗とを充填し開口部を閉鎖してなるポット菜園の、該容器の所定位置を開封し、水やり、射光、遮光または保温して植物を栽培することを特徴とするポット菜園による植物の栽培法。
【発明の詳細な説明】
【０００１】
【発明の属する技術分野】
本発明は、家庭の庭、ベランダ（ぬれ縁）、軒下、テラス、室内など非常に狭い場所で、栽培が難しいと言われる野菜や園芸植物を、熟練や経験を必要とせずに（初心者でも）、非常に簡単に栽培を行うことが可能なポット菜園に関し、特に、包装容器内に培養土と種苗とを充填し開口部を閉鎖してなるポット菜園の該種苗の芽の伸長を長期間安定に抑制するための方法に関する。
なお、本発明でいう「ポット菜園」とは、包装容器内に培養土と種苗とを充填し、開口部を閉鎖した包装体を意味する。
【０００２】
【従来の技術】
本発明者らは、このたび家庭の庭、ベランダ（ぬれ縁）、軒下、テラス、室内など非常に狭い場所で、栽培が難しいと言われる野菜や園芸植物を、熟練や経験を必要とせずに（初心者でも）、非常に簡単に栽培を行うことが可能なポット菜園を開発した。
すなわち、包装容器内に培養土と種苗とを充填し開口部を閉鎖してなるポット菜園、および包装容器内に培養土を充填し、予め該培養土の所定位置に種苗を埋設し、開口部を閉鎖してなるポット菜園、および遮光性を有する包装容器内に培養土と種苗とを充填し開口部を閉鎖してなるポット菜園である。
しかしながら、上記ポット菜園を詳細に検討した結果、本品を市場に常温で流通しようとするとき、培養土の水分含量が多いと、種苗の品種によっても多少異なるがアスパラガス、コンニャクなどにおいては芽が伸長し易くなり、商品価値が低下する欠点を有することが判明した。
【０００３】
【発明が解決しようとする課題】
本発明は、ポット菜園を長期間安定に保存するための方法を提供することを目的とする。
【０００４】
【課題を解決するための手段】
本発明者らは、このような課題を解決するため鋭意研究を重ねた結果、遂に本発明を完成した。すなわち本発明は、包装容器内に乾燥処理した培養土と種苗とを充填し開口部を閉鎖してなるポット菜園を提供する。
【０００５】
また本発明は、包装容器内に乾燥処理した培養土を充填し、該培養土の所定位置に種苗を埋設してなるポット菜園を提供する。
【０００６】
また本発明は、遮光性を有する包装容器内に乾燥処理した培養土と種苗とを充填し開口部を閉鎖してなるなるポット菜園を提供する。
【０００７】
また本発明は、遮光性を有する包装容器が、黒色、青色、茶色あるいは緑色をした外周壁、またはアルミ箔の外周壁を有する合成樹脂製包装用袋または合成樹脂製包装用箱である前記のポット菜園を提供する。
【０００８】
また本発明は、種苗が、野菜、果樹または草花の種苗である前記のポット菜園を提供する。
【０００９】
また本発明は、種苗が、栄養繁殖植物体またはその一部である前記のポット菜園を提供する。
【００１０】
また本発明は、栄養繁殖植物体が、里芋、ショウガおよびミョウガなどの地下塊茎植物、アスパラガス、ウドおよびミツバなどの塊根植物、フキなどの地下茎植物、ヤマイモおよびコンニャクなどの塊根植物、またはニンニクなどの球根植物である前記のポット菜園を提供する。
【００１１】
また本発明は、乾燥処理した培養土が、水分２０％（Ｗ／Ｗ）以下である前記のポット菜園を提供する。
【００１２】
また本発明は、包装容器内に乾燥処理した培養土と種苗とを充填し開口部を閉鎖してなるポット菜園の、該容器の所定位置を開封し、水やり、射光、遮光または保温して植物を栽培することを特徴とするポット菜園による植物の栽培法を提供する。
【００１３】
【発明の実施の形態】
以下本発明を詳細に説明する。
【００１４】
まず、本発明のポット菜園は、包装容器内に乾燥した培養土と種苗とを充填し開口部を閉鎖することにより得られる。
【００１５】
本発明において用いられる培養土としては、栽培する野菜、果樹、または草花などに適した窒素、燐酸、カリウムまたはカルシウム等の要素の少なくとも１つ、または化成肥料や有機質肥料等の即効性肥料、緩効性肥料、遅効性肥料、または即効性肥料と緩効性肥料との混合肥料の少なくとも１つ、を含有させたパーライト、ピートモス、ココピート、または通常の培養土等の吸湿性のある園芸用土資材が挙げられる。または上記培養土に必要により化成肥料および／または有機質肥料を施肥した培養土、または園芸用土資材に窒素、燐酸、カリウム、カルシウム、マグネシウム、化成肥料または有機質肥料の少なくとも１つを添加含有せしめた培養土などが挙げられる。
【００１６】
本発明は、上記培養土の調製において、該培養土を乾燥処理することを特徴としている。すなわち、一般に堆肥などを原料としている培養土は水分が多く、これをそのまま採用すると、種苗が包装容器内で勝手に発芽増殖する危険性があり、栽培好適季以外の時季に、しかも包装容器内で一度発芽するとその後において行われる本栽培において、高品質の野菜を収量良く収穫できない危険性を有する。
そのため、培養土の水分を所定の水分以下に乾燥することが必要となる。
【００１７】
ここにおいて、乾燥処理としては熱風乾燥、温風乾燥、天日乾燥など任意の手段が挙げられる。乾燥は、水分含量が２０％（Ｗ／Ｗ）以下とすることが必要で、好ましくは１０％以下、より好ましくは５％以下である。
このように乾燥すると、好適な水分の存在により発芽増殖する性質の種苗の該発芽増殖を抑制することが可能となりポット菜園の保存期間を延長し、高品質、高収量の野菜を収穫することができるので好ましい。
【００１８】
次に本発明において用いられる種苗としては、野菜、果樹、花卉などの種苗が挙げられるが、その中で、栄養繁殖植物体またはその株分け、切断処理物の利用が本発明の効果をよりよく奏するので好ましい。
【００１９】
なお、上記栄養繁殖植物体としては、里芋、ショウガ、およびミョウガ等の地下塊茎植物、アスパラガス、ウドおよびミツバ等の塊根植物、フキ等の地下茎植物、ジネンジョ、ナガイモ、イチョウイモおよびコンニャクなどの塊根植物、およびニンニク等の球根植物が好ましい。
【００２０】
本発明において、上記栄養繁殖植物体は、そのまま、または乾燥させた後に使用することができるが、乾燥させた後に用いると、保存性が良くなるので好ましい。また、種苗を殺菌剤で処理してから用いると、保存中および栽培中において病原菌の浸入予防と、浸入した病原菌の殺菌をすることができるので好ましい。
【００２１】
次に、本発明において用いられる包装容器としては、培養土と種苗とを充填し開口部を閉鎖し得る任意の包装容器が挙げられる。
例えば、防水加工した紙製袋、木製、石製（天然石、石膏ボード、セメントなど）、金属製、ポリエチレン、ポリスチレン、ポリプロピレンまたはプラスチック等の合成樹脂製、ガラス製など任意の素材でできた可撓性（あるいはフィルム状）の袋状包装容器、非可撓性（堅牢性）の包装用箱、同包装用瓶、同包装用缶などが挙げられる。
【００２２】
これらの包装容器は、無色透明〜着色不透明の素材まで任意の素材で作られているものが採用できる。
しかし、種苗の品種によっては、例えばアスパラガス、ウド、ネギ、ミツバなどにおいては、遮光性を有する包装容器を用いて栽培すると、収穫野菜の可食部の肌（外表面）が淡色、または白色になって、外観が美しくなり、しかも食感が軟らかくなるので、非常に好ましい。また、遮光性包装容器を用いるときは、外から容器内培養土が見えにくく、あるいは見えないので、包装容器全体の外観が美しくなる特徴を有するので好ましい。
【００２３】
この場合、遮光性を有する包装容器としては、黒色、青色、茶色あるいは緑色をした外周壁、またはアルミ箔の外周壁を有する包装容器が挙げられる。
【００２４】
また本発明は、包装容器内に培養土を充填した後、該培養土に種苗を埋設するが、その際、予め所定位置に種苗を埋設する。すなわち、種苗によって埋設適所が相違するので、埋設の深さ位置、種苗相互間の間隔などを好適化することは、期待通りの栽培成績を得るために重要となる。反対に埋設適所を無視した場合は、期待通りの栽培成績は得られない欠点を有する。
例えば、アスパラガスは、培養土表面より２０〜２５ｃｍ、ウドおよび里芋は８〜１３ｃｍが好ましい。
【００２５】
次に、このようにして得られたポット菜園を用いて植物を栽培するには、上記ポット菜園の、該容器の所定位置を開封し、これに、水やり、射光、遮光または保温などして植物を栽培する。
【００２６】
【実施例】
以下実施例を示して本発明をより具体的に説明する。
【００２７】
実施例１
（アスパラガス作物のポット菜園の作成）
晩秋の１１月２８日、３７×１５×５７ｃｍの大きさで、厚さ０．０７ｍｍの、緑色に着色したポリエチレン製のフィルム状袋容器に、市販の園芸培土である、ホーネンアグリ社製「ポットミックス」（水分３２．６％Ｗ／Ｗ）を熱風乾燥して水分４．８％（Ｗ／Ｗ）に調整した園芸培土約８Ｌを入れ、これに畑より掘り取りしたアスパラガスの根株３株、約１ｋｇを発芽方向を上にして包装容器の底部付近に埋設し（根株を包埋し）、次いで容器内の空気を抜きながら該袋の開口部をヒートシールして密封し、アスパラガス作物のポット菜園を得た。このポット菜園を温度２０℃の恒温室に２ヶ月保管した。この結果、アスパラガスは殆ど芽が伸長しないことが確認された。
【００２８】
比較例
上記実施例１のアスパラガスのポット菜園を得る方法において、「水分４．８％に調整した当該園芸培土」に代えて、「水分３２．６％の該園芸培土」を用いる以外は全く同様にして比較例のアスパラガスのポット菜園を得た。
この比較例のポット菜園を温度２０℃の高温室に２ヶ月保管した。
この結果、アスパラガスは、芽が伸長することが確認された。
【００２９】
上記実施例および比較例の結果から、比較例のポット菜園は、アスパラガスが芽が伸長（増殖）して、商品価値が低下したが、本発明のポット菜園は、アスパラガスの芽が伸長せず、したがって、ポット菜園を長期間安定に保存できることが判明した。
【００３０】
【発明の効果】
以上の結果から、本発明によれば、栽培が難しいと言われるアスパラガス作物の栽培を、ベランダ（ぬれ縁）、室内など非常に狭い場所で、種苗の前処理、農地（またはプランター）の準備、施肥（または追肥）処理および薬剤散布処理などに、高度の熟練と経験知識を必要とすることなく（初心者でも）、非常に簡単に栽培を行うことができるポット菜園を、長期間保存できることが判る。